(57)【要約】  流体を輸送する流体導管と、流体導管を封入するように配置される連接シェル組立体とを有する、流体の輸送用の連接パイプライン組立体。連接シェル組立体は、複数の連接シェルセグメントを有し、各連接シェルセグメントはボールおよびソケットの両方を備え、各連接シェルセグメントのボールが隣接する連接シェルセグメントのソケットと係合して玉継手を形成する。各連接シェルセグメントは、玉継手により、隣接する連接シェルセグメントに対して回転するように構成される。
2012522192.tif 000002
【特許請求の範囲】
【請求項１】
流体の輸送用の連接パイプライン組立体であって、
流体を輸送する流体導管と、
前記流体導管を封入するように配置される連接シェル組立体であって、複数の連接シェルセグメントを有し、各連接シェルセグメントがボールおよびソケットの両方を備え、各連接シェルセグメントの前記ボールが隣接する連接シェルセグメントのソケットと係合して玉継手を形成し、各連接シェルセグメントの前記ソケットが隣接する連接シェルセグメントのボールと係合して玉継手を形成する、連接シェル組立体と、
を具備し、
各連接シェルセグメントが、前記玉継手により、隣接する連接シェルセグメントに対して回転するように構成される、連接パイプライン組立体。
【請求項２】
流体の輸送用の連接パイプライン組立体であって、
流体を輸送する流体導管と、
前記流体導管を封入するように配置される連接シェル組立体であって、複数の連接シェルセグメントを有し、各連接シェルセグメントがボールおよびソケットの両方を備え、各連接シェルセグメントの前記ボールが隣接する連接シェルセグメントのソケットと係合して玉継手を形成し、各連接シェルセグメントの前記ソケットが隣接する連接シェルセグメントのボールと係合して玉継手を形成する、連接シェル組立体と、
を具備し、
各連接シェルセグメントが、互いに係合するように構成されている２つの別個の分離可能な構成要素を含む、連接パイプライン組立体。
【請求項３】
流体の輸送用の連接パイプライン組立体であって、
流体を輸送する流体導管と、
前記流体導管を封入するように配置される連接シェル組立体であって、互いに結合される少なくとも２つの連接シェルセグメントを有する、連接シェル組立体と、
を具備し、
前記少なくとも２つの連接シェルセグメントのうちの一方がその各端部にボールを備え、前記少なくとも２つの連接シェルセグメントのうちの他方がその各端部にソケットを備え、
連接シェルセグメントの前記ボールが、隣接する連接シェルセグメントのソケットと係合して玉継手を形成し、各連接シェルセグメントの前記ソケットが、隣接する連接シェルセグメントのボールと係合して玉継手を形成し、
各連接シェルセグメントが、前記玉継手により、隣接する連接シェルセグメントに対して回転するように構成される、連接パイプライン組立体。
【発明の詳細な説明】
【技術分野】
【０００１】
本発明は、流体の輸送用の連接配管に関する。
【背景技術】
【０００２】
配管は、長距離にわたって流体を分配するために使用されている。配管の外面は、たとえば、砂漠、海水、密林、管理されていない化学的空間、または高い温度あるいは高い圧力で維持されている環境等、苛酷な環境にさらされる場合がある。配管の内面は、配管の流体通路を通して分配される研磨流体および／または腐食性流体にさらされる場合がある。利便性および保管の関係で、オペレータは、こうした配管を、配置および保管を容易にするためにスプールに配置することを好む可能性がある。上述したことを考慮して、保管、性能、利便性、製造可能性および安全性のために、流体輸送管に対して開発および改善が必要である。
【発明の概要】
【課題を解決するための手段】
【０００３】
本発明の一態様によれば、流体の輸送用の連接パイプライン組立体を提供する。連接パイプライン組立体は、流体を輸送する流体導管と、流体導管を封入するように配置される連接シェル組立体とを備える。連接シェル組立体は、複数の連接シェルセグメントを有し、各連接シェルセグメントはボールおよびソケットの両方を備える。各連接シェルセグメントのボールが隣接する連接シェルセグメントのソケットと係合して玉継手を形成し、各連接シェルセグメントのソケットが隣接する連接シェルセグメントのボールと係合して玉継手を形成する。各連接シェルセグメントは、玉継手により、隣接する連接シェルセグメントに対して回転するように構成される。
【０００４】
本発明の別の態様によれば、各連接シェルセグメントは、互いに嵌合するように構成されている２つの別個の分離可能な構成要素を有している。
【０００５】
本発明のこれらの態様および他の態様は、図面を考慮して以下の詳細な説明からより明らかとなろう。以下の説明は、単に、本発明の好ましい実施形態を例示するように意図されていることが理解されるべきである。
【０００６】
本発明は、以下の詳細な説明を添付図面に関連して読むことにより最もよく理解される。一般的な慣行により、図面のさまざまな特徴は正確な縮尺ではないことを強調する。図面には以下の図が含まれている。
【図面の簡単な説明】
【０００７】
【図１】本発明の１つの例示的な実施形態による、連接シェル組立体内に封入された流体導管を備えたパイプラインの一セグメントの立面図を示し、連接シェルの一部は流体導管を見せるために切り取られている。
【図２】線２−２に沿って取り出された図１のパイプラインの断面図を示す。
【図３Ａ】本発明のさらに別の例示的な実施形態による、連接シェル組立体内に封入された流体導管を備えたパイプラインの一セグメントの立面図を示し、各連接シェルセグメントは２部品からなる組立体である。
【図３Ｂ】線３Ｂ−３Ｂに沿って取り出された図３Ａのパイプラインの断面図を示す。
【発明を実施するための形態】
【０００８】
ここで本発明を、図面において例示するために選択されたいくつかの実施形態を参照して説明する。本発明の範囲および趣旨は例示する実施形態に限定されないことが理解されよう。
【０００９】
本明細書では、流体という用語は、限定するものではなく、たとえば液体、気体またはスラリー等、任意のタイプの流体をさしてもよいものとする。
【００１０】
図１は、本発明の１つの例示的な実施形態による、連接シェル組立体内に封入された流体導管を備えたパイプラインの一セグメントの立面図を示す。パイプラインのセグメントを数字「１０」によって示す。パイプライン１０は、概して、連接シェル組立体１３内に封入された可撓性流体導管１２を備えている。連接シェル組立体１３は、一連の相互に連結された連接シェルセグメント１４ａ〜１４ｃ（まとめて連接シェルセグメント１４と呼ぶ）を備えている。図１では、流体導管１２が見えるように、シェルセグメント１４ｂの一部が切り取られている。
【００１１】
図２は、線２−２に沿って取り出された図１のパイプライン１０の断面図を示す。流体導管１２は、連接シェル組立体１３に入れられている流体を輸送するための中空構造体である。各連接シェルセグメント１４は剛体であって、流体導管１２を外部摩耗から保護し、内圧が比較的高い場合に流体導管１２を支持するように構成されている。
【００１２】
各シェルセグメント１４は、実質的に円筒状中空体によって画定される。この例示的な実施形態によれば、シェルセグメント１４は単体であるが、別の実施形態では、各シェルセグメントは２つの部品からなる。各シェルセグメント１４の形状およびサイズはともに、実質的に同等である。
【００１３】
シェルセグメント１４ａ〜１４ｃは、一連の玉継手を通して相互係止する。各シェルセグメント１４は、その一端にボール１６ｂを有し、他端にソケット１６ａを有している。各ボール１６ｂは、隣接するシェルセグメントのソケット１６ａと嵌合するように構成されている。
【００１４】
連接シェル組立体１３を組み立てる１つの例示的な方法によれば、シェルセグメント（シェルセグメント１４ｂ等）のソケット１６ａの正面１７は、隣接するシェルセグメント（シェルセグメント１４ｂ等）の丸い縁２５と位置合わせされる。ボール１６ｂの丸い縁２５は、ソケット１６ａのボール１６ｂ上への挿入を案内するように構成されている。そして、ソケット１６ａの回転内面２７は、ボール１６ｂの回転外面２９の上に押し込まれる。ソケット１６ａおよび／またはボール１６ｂは、ソケット１６ａがボール１６ｂ上を並進する際に撓む可能性がある。ボール１６ｂの面２１がソケット１６ａの内面２３に当接すると、シェルセグメント１４は互いに連結され、すなわち嵌合する。図示しないが、ソケット１６ａの回転内面２７とボール１６ｂの回転外面２９との間の接触面にＯリングを設けることにより、シェルセグメント１４内への汚染物質の侵入を制限してもよい。Ｏリングは、設計の任意の構成要素であり、省略してもよい。
【００１５】
図示しないが、ソケット１６ａの回転内面２７は、ボール１６ｂの上に押し込まれる際のソケット１６ａの撓みを容易にするように、１つまたは複数の開口部、溝穴またはスリットを含んでもよい。さらに、ボール１６ｂの回転外面２９もまた、ソケット１６ａがボール１６ｂの上に押し込まれる際のボール１６ｂの撓みを容易にするように、１つまたは複数の開口部、溝穴またはスリットを有してもよい。
【００１６】
各玉継手は、隣接するシェルセグメント１４の回転を可能にするように構成されている。ボール１６ｂの回転外面２９は、ソケット１６ａの回転内面２７内で回転することができる。玉継手によって可能になる回転により、パイプライン１０をリールに巻き取ることができる。
【００１７】
さらに図２を参照すると、ソケット１６ａの回転内面２７の内径Ｄ１は、ボール１６ｂの回転外面２９の外径Ｄ２を緊密に封入するようなサイズである。径Ｄ１およびＤ２の相対的なサイズは、嵌合したシェルセグメント１４の相対的な回転を可能にしながら、嵌合したシェルセグメント１４の不注意な分離を制限するように適合されている。面２１と面２３との間の最大間隙「Ｇ」もまた、それらのシェルセグメント１４の間の相互作用（たとえばクリアランス）を制限しながら、嵌合したシェルセグメント１４の相対的な回転を可能にする。組み立てられたシェルセグメント１４間の過度な相互作用により、パイプライン１０をリールに巻き取る際に、パイプライン１０に脆弱箇所が形成される可能性がある。例として、１つのシェルセグメント１４の隣接するシェルセグメント１４に対する回転角度は、たとえば約０．５度〜２．５度であり得る。ボール１６ｂおよびソケット１６ａの半径を、パイプライン１０の所望の曲げ半径に達するように変更することができる。
【００１８】
シェルセグメント１４の内面と流体導管１２の外部回転面との間に間隙があってもよい。間隙のサイズは、本発明の趣旨および範囲から逸脱することなく、本明細書に示すかつ説明するものと異なってもよい。シェルセグメント１４の内面と流体導管１２の外部回転面との間の間隙は、導管１２が半剛性である場合にシェルセグメント１４の相対的な回転を可能にするとともに、流体導管１２およびシェルセグメント１４が互いに対して幾分か移動するのを可能にするのに十分大きいが、内圧が比較的高い場合に流体導管１２を支持し制約するのに十分小さい。
【００１９】
各シェルセグメントの長さ「Ｌ」（図２参照）は、任意の所望の長さであり得る。例として、パイプライン１０の全長は、１〜３キロメートル、または他の任意の所望の長さであり得る。各シェルセグメントの長さ「Ｌ」は、パイプライン１０の全曲げ半径に影響を与える。各シェルセグメントの長さ「Ｌ」を延長することにより、パイプライン１０の曲げ半径が増大する。各シェルセグメントの長さ「Ｌ」を、特定の曲げ半径を満たすように適合させることができる。
【００２０】
各シェルセグメントの外径「Ｄ」（図１参照）は、たとえば約０．１２５インチ〜１０インチ、または他の任意の所望の直径であり得る。各シェルセグメントの直径「Ｄ」もまた、パイプライン１０の全曲げ半径に影響を与える。各シェルセグメントの直径「Ｄ」を増大させることにより、パイプライン１０の曲げ半径が増大し、その逆もあり得る。各シェルセグメントの壁厚さは、たとえば、約０．１インチ〜０．７５インチ、または他の所望の任意の壁厚さであり得る。
【００２１】
連接シェル１４を流体導管１２上に組み込むいくつかの方法がある。例として、シェルセグメント１４を、パイプライン１０の製造中に流体導管１２の自由端の上に組み込んでもよく、またはいかなる時にも流体導管１２の自由端は容易に利用可能である。流体導管１２がリール上にすでに巻き取られている場合、シェルセグメント１４を巻き取られた流体導管１２上に組み込む一方法は以下の通りである。（ｉ）一続きのシェルセグメント１４を組み立てて、組み立てられたシェルセグメント１４を第２リールに巻き取り、（ｉｉ）巻き取られた流体導管の自由端をいくつかのシェルセグメント１４内に送り込み、（ｉｉｉ）流体導管１２をそのリールから引き出して、流体導管１２が組み立てられたシェルセグメント１４内に通るようにする。流体導管１２が組み立てられたシェル組立体１４内を通ると、パイプライン１０が形成される。
【００２２】
何らかの理由により、流体導管１２の自由端に容易にアクセスできない場合、シェルセグメント１４の閉鎖した幾何学的形状のために、シェルセグメント１４を流体導管１２の上に組み立てることができない。少なくともその理由で、流体導管１２の自由端に容易にアクセスできない場合に、らせん状シェルまたは多部品シェルセグメントが、特に有用であり得る。多部品シェルセグメントはまた、組み立てられたシェルセグメント１４のすべてをパイプライン１０から取り除く必要なく、損傷したシェルセグメント１４を新たなシェルセグメントと交換するためにも特に有用であり得る。
【００２３】
図３Ａは、本発明の別の例示的な実施形態による、連接シェル組立体６２内に封入される流体導管１２を備えるパイプライン６０のセグメントの立面図を示す。連接シェル組立体６２は、一連の相互連結された連接シェルセグメント６４Ａ〜６４Ｃ（まとめて連接シェルセグメント６４と呼ぶ）を備えている。流体導管１２の位置を明らかにするために、シェルセグメント６４Ｂの一部が切り取られている。パイプラインセグメント６０は、図１および図２のパイプラインセグメント１０と実質的に同じであるが、図３Ａの各連接シェルセグメント６４は２部品からなる組立体である。図１のシェルセグメント１４ａ〜１４ｃと同様に、連接シェルセグメント６４Ａ〜６４Ｃは、一連の玉継手を介して相互係止し、それによりシェルセグメント６４Ａ〜６４Ｃは互いに対して回転することができる。
【００２４】
図３Ｂは、線３Ｂ−３Ｂに沿って取り出された図３Ａのパイプライン６０の断面図を示す。各シェルセグメント６４は、解放可能にまたは永久的に互いに嵌合する２つの部分６６および６８を備えている。シェルセグメント部６６および６８は実質的に同一である。シェルセグメント部６６および６８は、半円筒状の回転体ならびにフランジ７０および７２をそれぞれ有している。フランジ７０および７２は、共通接触面７６で接するように配置されている嵌合面を有している。図３Ａにもっともよく示すように、フランジ７０および７２は、玉継手を妨げないようにシェルセグメント６４の長さの一部に沿って延在している。フランジ７０および７２は、シェルセグメント６４の任意の特徴であり、省略してもよい。
【００２５】
セルフタッピング式の機械ねじの形態である機械的締結具７４が、各シェルセグメント６４の両フランジ７０および７２に係合することにより、シェルセグメント部６６をシェルセグメント部６８に接合する。締結具７４は、フランジ７０および７２に設けられている穴（明示的には示さず）とねじ係合する。当業者は、シェルセグメント部６６および６８を取り付けるかまたは接合する多数の方法があることを理解するであろう。シェルセグメント部６６および６８を、クリップ、コネクタ、ピン、かかり、フック、ソケット、接着剤、溶接、クランプ、リベット、磁石、ボルト、ねじ、または当業者に既知である他の任意の締結機構によって互いに嵌合させてもよい。図示しないが、パイプライン６０内への汚染物質の侵入を制限するために、シェルセグメント部６６および６８の間の接触面７６に、周囲ガスケットを設けてもよい。
【００２６】
図示しないが、締結具７４の代りに、シェルセグメント部６６は、フランジ７０から延在するかかり（ｂａｒｂ）を有していてもよく、シェルセグメント部６８は、シェルセグメント部６６のかかりを受け入れるようなサイズである、フランジ７２に画定される開口部を有していてもよい。かかりを開口部に永久的にまたは解放可能に嵌合させることにより、シェルセグメント部６６および６８が互いに嵌合する。かかりおよび／または開口部のサイズとともにシェルセグメント部６６および６８の壁厚さに応じて、フランジ７０および７２を省略してもよい。
【００２７】
２部品からなる連接シェルセグメント６４を、それが２部品構成であることにより、導管１２の長さに沿った任意の箇所で流体導管１２上に組み込むことができる。こうしたシェルセグメントの実施形態は、流体導管１２がすでに現場に配置され、導管１２の自由端に容易にアクセス可能でない場合に特に有利である。２部品からなる連接シェルセグメント６４はまた、組み立てられたシェルセグメント１４のすべてをパイプラインから取り除く必要なく、損傷したシェルセグメント１４（図１参照）を新たなシェルセグメント６４と交換するためにも有用である。
【００２８】
本明細書に示さない本発明の別の例示的な実施形態によれば、図１〜図３Ｂに示すように各シェルセグメントがボールおよびソケットをともに有する代りに、２つのタイプのシェルセグメントが考えられ、それにより、一方のシェルセグメントが各端部にボールを有し、他方のシェルセグメントが各端部にソケットを有する。シェルセグメントタイプは、配管の長さに沿って交互にされ、各接触面において玉継手を形成する。
【００２９】
ここでパイプライン１０および６０の構成要素の材料組成に関して、本明細書で開示するシェルセグメントを、熱硬化性材料とともに熱可塑性材料を含む、当業者には既知である任意の金属材料またはポリマー材料から構成することができる。シェルセグメントを、Ｏｘｆｏｒｄ  Ｐｅｒｆｏｒｍａｎｃｅ  Ｍａｔｅｒｉａｌｓ  Ｉｎｃ．(Ｅｎｆｉｅｌｄ、Ｃｏｎｎｅｃｔｉｃｕｔ、ＵＳＡ)によって製造されているＯＸＰＥＫＫ（登録商標）Ｃ４０Ｃから構成してもよい。限定しない例として、シェルセグメントに好適な他の材料には、ポリエーテルエーテルケトン（ＰＥＥＫ）およびポリエーテルケトンケトン（ＰＥＫＫ）とともに、他のポリアリールケトンおよびポリアリールエーテルケトンが含まれ、それらは、十分に剛性であり、高温に対して定格が定められ（たとえば、ＰＥＫＫに対する連続使用温度は５００°Ｆである）、酸性または塩基性化学物質のいずれかに対して耐性がある。他の好適なエンジニアリング熱可塑性樹の例示的な例には、ポリフェニレンサルファイド、ポリフェニレンオキシドおよびポリスルフォンがある。それほど侵食性でない用途の場合、たとえばポリカーボネート、ポリアミド、ポリエステルまたはポリアセタール等の他の構造プラスチックが有用であり得る。好適な熱硬化性材料には、エポキシ樹脂およびポリエステル熱硬化性樹脂がある。ポリマー材料を、充填剤、補強剤、安定剤、加工助剤等、本技術分野で既知である添加剤の任意のものと混合してもよい。シェルセグメントを、限定されないが、射出成形および圧縮成形を含む、材料を成形するように通例利用される従来の製造技法の任意のものを用いて製造することができる。
【００３０】
ここで流体導管１２の材料組成に関して、導管１２は、場合により、Ｏｘｆｏｒｄ  Ｐｅｒｆｏｒｍａｎｃｅ  Ｍａｔｅｒｉａｌｓ  Ｉｎｃ．(Ｅｎｆｉｅｌｄ、Ｃｏｎｎｅｃｔｉｃｕｔ、ＵＳＡ)によって製造されている、繊維強化ＯＸＰＥＫＫ（登録商標）ポリエーテルケトンケトンからなる単層を含む。限定しない例として、流体導管１２に好適な他の材料は、ポリフッ化ビニリデン（Ｋｙｎａｒ（登録商標）ＰＶＤＦを含むＰＶＤＦ）、ポリオレフィン（ポリプロピレン等）およびポリアミド（ポリアミド１１または１２等）等のプラスチックである。１つまたは複数のプラスチックに加えて、導管を、それが依然として、パイプラインが現場で配置されるのを可能にするために十分可撓性があれば、金属、ガラスまたは他のセラミック材料とともに、他の無機物質（無機微粒子充填剤または炭素充填剤等）等、１つまたは複数の他の材料から構成することができる。これらの追加の材料（たとえば繊維、粒子、ワイヤまたはマットの形態であり得る）を、プラスチック母材に埋め込むかまたは混合してもよい。流体導管１２の材料を、たとえばその構造完全性または静的消散特性を向上させるように適合させることができる。流体導管１２を、以下の基準を満たす任意の材料から構成してもよい。すなわち、（ｉ）流体輸送に好適であり、（ｉｉ）現場におけるパイプラインの簡単な配置のために十分可撓性があり、かつ（ｉｉｉ）加圧される時に十分に剛性となる。当業者は、多数の材料が上述した基準を満たすことを理解するであろう。
【００３１】
単層流体導管は、製造にそれほど費用がかからないため好ましい場合がある。別法として、流体導管１２は、特定の用途に応じて２つ以上の層を備えていてもよい。たとえば、二層流体導管は、導管の外側の流体が流体導管内を移動している流体と性質が異なり、いかなる単一材料も両流体に対して不浸透性ではない、パイプラインで用いるように想定される。たとえば、導管の内部に沿って移動している流体が酸性であるが、導管の外部に沿って移動している流体が塩基性である場合、流体導管の内層の材料は酸に対して耐性があり、流体導管の外層の材料は塩基に対して耐性がある。こうした例では、たとえば、二層流体導管の内層をＰＶＤＦから構成してもよく、一方で二層流体導管の外層をポリオレフィンから構成してもよい。
【００３２】
三層流体導管もまた、導管の外側の流体が流体導管の内側の流体と性質が異なり、いかなる単一材料も両流体に対して不浸透性ではない、パイプラインで用いるように想定される。導管の内層および／または外層を一体的に取り付ける必要がある場合、内部層（すなわち、外層と内層との間に挟装される層）を結合層として採用することができる。しかしながら、パイプラインの曲げ半径を最小に維持する必要がある用途では、三層導管は、第３の層がパイプラインの可撓性を低減する可能性があるため、好ましくない場合がある。三層導管が有利であり得る他の環境は、内部層が、内層および／または外層を浸透する可能性のある気体等、複雑流体に対して追加の障壁として必要とされる場合である。さらに、保護を追加するために、導管の上にたとえばＫｅｖｌａｒ（登録商標）芳香族ポリアミド繊維からなる編組を付与してもよい。
【００３３】
本明細書では、本発明を特定の実施形態に関連して例示し説明したが、本発明は、示した詳細に限定されるようには意図されていない。本明細書に開示するパイプラインは、化学プロセスおよび石油の用途のための流体の輸送に特に有用であり得るが、それらのパイプラインを、電線、通信線、ケーブルまたは導管を含む他の任意の用途に対して採用することができる。例として、齧歯動物が電気ケーブルを噛むかまたは他の方法で傷つけるのを防止する目的で、連接シェルセグメントを電気ケーブルに上に付与することができる。特許請求の範囲の均等物の範囲内でかつ本発明の趣旨から逸脱することなく、詳細に対してさまざまな変更を行うことができる。
【図１】
2012522192.tif 000003
【図２】
2012522192.tif 000004
【図３Ａ】
2012522192.tif 000005
【図３Ｂ】
2012522192.tif 000006
【手続補正書】
【提出日】平成24年1月23日(2012.1.23)
【手続補正１】
【補正対象書類名】特許請求の範囲
【補正対象項目名】全文
【補正方法】変更
【補正の内容】
【特許請求の範囲】
【請求項１】
流体の輸送用の連接パイプライン組立体であって、
流体を輸送する流体導管と、
前記流体導管を封入するように配置される連接シェル組立体であって、複数の連接シェルセグメントを有し、各連接シェルセグメントがボールおよびソケットの両方を備え、各連接シェルセグメントの前記ボールが隣接する連接シェルセグメントのソケットと係合して玉継手を形成し、各連接シェルセグメントの前記ソケットが隣接する連接シェルセグメントのボールと係合して玉継手を形成する、連接シェル組立体と、
を具備し、
各連接シェルセグメントが、前記玉継手により、隣接する連接シェルセグメントに対して回転するように構成され、
各連接シェルセグメントの前記ボールが、前記隣接する連接シェルセグメントの前記ソケットが前記ボールの上に押し込まれる際に前記ボールの撓みを容易にするように、１つまたは複数の開口部、溝穴またはスリットを有する回転外面を有する、連接パイプライン組立体。
【請求項２】
流体の輸送用の連接パイプライン組立体であって、
流体を輸送する流体導管と、
前記流体導管を封入するように配置される連接シェル組立体であって、複数の連接シェルセグメントを有し、各連接シェルセグメントがボールおよびソケットの両方を備え、各連接シェルセグメントの前記ボールが隣接する連接シェルセグメントのソケットと係合して玉継手を形成し、各連接シェルセグメントの前記ソケットが隣接する連接シェルセグメントのボールと係合して玉継手を形成する、連接シェル組立体と、
を具備し、
各連接シェルセグメントが、互いに係合するように構成されている２つの別個の分離可能な構成要素を含む、連接パイプライン組立体。
【請求項３】
流体の輸送用の連接パイプライン組立体であって、
流体を輸送する流体導管と、
前記流体導管を封入するように配置される連接シェル組立体であって、互いに結合される少なくとも２つの連接シェルセグメントを有する、連接シェル組立体と、
を具備し、
前記少なくとも２つの連接シェルセグメントのうちの一方がその各端部にボールを備え、前記少なくとも２つの連接シェルセグメントのうちの他方がその各端部にソケットを備え、
連接シェルセグメントの前記ボールが、隣接する連接シェルセグメントのソケットと係合して玉継手を形成し、各連接シェルセグメントの前記ソケットが、隣接する連接シェルセグメントのボールと係合して玉継手を形成し、
各連接シェルセグメントが、前記玉継手により、隣接する連接シェルセグメントに対して回転するように構成される、連接パイプライン組立体。
【請求項４】
前記連接シェルセグメントが、ポリアリールケトンおよびポリアリールエーテルケトンからなる群から選択された材料からなる、請求項１に記載の連接パイプライン組立体。
【請求項５】
前記連接パイプライン組立体内への汚染物質の侵入を制限するように、前記ソケットの回転内面と前記ボールの前記回転外面との間の接触面にＯリングが設けられる、請求項１に記載の連接パイプライン組立体。
【請求項６】
前記連接シェルセグメントが、ポリアリールケトンおよびポリアリールエーテルケトンからなる群から選択された材料からなる、請求項２に記載の連接パイプライン組立体。
【請求項７】
前記連接パイプライン組立体内への汚染物質の侵入を制限するように、前記２つの別個の分離可能な構成要素の間の接触面に周囲ガスケットが設けられる、請求項２に記載の連接パイプライン組立体。
【請求項８】
前記２つの別個の分離可能な構成要素が、メカニカルファスナを用いて互いに嵌合する、請求項２に記載の連接パイプライン組立体。
【請求項９】
前記２つの別個の分離可能な構成要素が、一方の構成要素から延在するかかりと、他方の構成要素における、前記かかりを受け入れるようなサイズである開口部とを用いて互いに嵌合する、請求項２に記載の連接パイプライン組立体。
【請求項１０】
前記２つの別個の分離可能な構成要素が、解放可能に互いに嵌合する、請求項２に記載の連接パイプライン組立体。
【請求項１１】
前記２つの別個の分離可能な構成要素の各々が、半円筒状の回転体およびフランジを有し、前記フランジが、共通の接触面で接するように配置されている嵌合面を有する、請求項２に記載の連接パイプライン組立体。
【請求項１２】
前記連接パイプライン組立体内への汚染物質の侵入を制限するように、前記ソケットの前記回転内面と前記ボールの前記回転外面との間の接触面にＯリングが設けられる、請求項２に記載の連接パイプライン組立体。
【請求項１３】
各端部にボールを備えている前記連接シェルセグメントの各ボールが、前記隣接する連接シェルセグメントの前記ソケットが前記ボールの上に押し込まれる際に前記ボールの撓みを容易にするように、１つまたは複数の開口部、溝穴またはスリットを有する回転外面を有する、請求項３に記載の連接パイプライン組立体。
【請求項１４】
各端部にソケットを備えている前記連接シェルセグメントの各ソケットが、前記隣接する連接シェルセグメントの前記ボールの上に押し込まれる際に前記ソケットの撓みを容易にするように、１つまたは複数の開口部、溝穴またはスリットを有する回転内面を有する、請求項３に記載の連接パイプライン組立体。
【請求項１５】
前記連接パイプライン組立体内への汚染物質の侵入を制限するように、前記ソケットの前記回転内面と前記ボールの前記回転外面との間の接触面にＯリングが設けられる、請求項３に記載の連接パイプライン組立体。
【請求項１６】
前記連接シェルセグメントが、ポリアリールケトンおよびポリアリールエーテルケトンからなる群から選択された材料からなる、請求項３に記載の連接パイプライン組立体。
【国際調査報告】
2012522192.tif 000007